(57)【要約】      （修正有）【課題】使用時に天板上のスペースを広く有効に活用でき、また、タブレット型のコンピュータなどの使用の利便性も向上させることができるキャビネットを提供する。【解決手段】天板２の両側辺２ａ，２ｂそれぞれに対して回動可能に取り付けられた第一拡張板５と第二拡張板６を備え、第一拡張板と第二拡張板は、それぞれが第一側板３Ａの外面に沿う位置と第二側板３Ｂの外面に沿う位置とに配置される閉位置と、天板の左右の側方それぞれに開いた開位置との間で回動可能であり、開位置で、天板の上面２ｃと第一拡張板と第二拡張板それぞれの上面とが同一平面上に配置される。【選択図】図１
0003215469.tif 000002
【実用新案登録請求の範囲】
【請求項１】
矩形の平板状に形成された天板と、
前記天板の両側辺又はその近傍の下面に固定されて下方向に延びる平板状の第一側板及び第二側板と、
上部に開口を有する箱型に形成され、前記天板の下方で前記第一側板と前記第二側板との間に収納された収納位置と、前記収納位置から手前側に引き出した引出位置との間で滑動可能な一又は複数の引き出しと、を備えるキャビネットであって、
前記天板の前記両側辺それぞれに対して回動可能に取り付けられた第一拡張板と第二拡張板を備え、
前記第一拡張板と第二拡張板は、それぞれが前記第一側板の外面に沿う位置と前記第二側板の外面に沿う位置とに配置される閉位置と、前記天板の左右の側方それぞれに開いた開位置との間で回動可能であり、
前記開位置で、前記天板の上面と前記第一拡張板と第二拡張板それぞれの上面とが同一平面上に配置される
ことを特徴とするキャビネット。
【請求項２】
前記キャビネットは、
前記第一側板の下端と前記第二側板の下端との間にかけ渡された底板と、
前記底板の下面に取り付けられた複数のキャスターと、を備える
ことを特徴とする請求項１に記載のキャビネット。
【考案の詳細な説明】
【技術分野】
【０００１】
本考案は、書類などの各種の物品を収納したり、ノートブック型やタブレット型のコンピュータなどを載置したりするために用いて好適な事務用のキャビネットに関し、特に、病院や歯科医院の診察室などでの使用に適したキャビネットに関する。
【背景技術】
【０００２】
従来、例えば特許文献１、２に示すように、書類などの各種の物品を収納するために用いられる事務用のキャビネットがある。この種のキャビネットは、全体が箱型に形成されており、内部に収納可能な引き出しを備えていると共に、天板上に物品を載置可能となっている。また、底面にキャスターが付いていることで、持ち上げずに容易に移動させることができる。
【０００３】
上記のようなキャビネットは、物品を載置するための天板上のスペースが広い方が書類などを沢山置くことができるので使い勝手が向上する。その一方で、使用しないときには外形の横幅寸法や奥行寸法が小さい方が場所をとらずに済むため好適である。
【先行技術文献】
【特許文献】
【０００４】
【特許文献１】特開２００３−１１１６２１号公報
【特許文献２】特開２００３−９９６７号公報
【考案の概要】
【考案が解決しようとする課題】
【０００５】
本考案は上述の点に鑑みてなされたものであり、その目的は、使用時に天板上のスペースを広く有効に活用できると共に、使用しないときには外形の横幅寸法や奥行寸法が小さく抑えることができるキャビネットを提供することにある。
【課題を解決するための手段】
【０００６】
上記課題を解決するため、本考案にかかるキャビネットは、矩形の平板状に形成された天板（２）と、天板（２）の両側辺（２ａ，２ｂ）又はその近傍の下面に固定されて下方向に延びる平板状の第一側板（３Ａ）及び第二側板（３Ｂ）と、上部に開口を有する箱型に形成され、天板（２）の下方で第一側板（３Ａ）と第二側板（３Ｂ）との間に収納された収納位置と、収納位置から手前側に引き出した引出位置との間で滑動可能な一又は複数の引き出し（１１〜１６）と、を備えるキャビネット（１）であって、天板（２）の両側辺（２ａ，２ｂ）それぞれに対して回動可能に取り付けられた第一拡張板（５）と第二拡張板（６）を備え、第一拡張板（５）と第二拡張板（６）は、それぞれが第一側板（３Ａ）の外面に沿う位置と第二側板（３Ｂ）の外面に沿う位置とに配置される閉位置と、天板（２）の左右の側方それぞれに開いた開位置との間で回動可能であり、開位置で、天板（２）の上面（２ｃ）と第一拡張板（５）と第二拡張板（６）それぞれの上面（５ｃ，６ｃ）とが同一平面上に配置されることを特徴とする。
【０００７】
本考案に係るキャビネットによれば、天板の両側辺（両側面）それぞれに対して回動可能に取り付けられた第一拡張板と第二拡張板を備え、これら第一拡張板と第二拡張板は、それぞれが第一側板の外面に沿う位置と第二側板の外面に沿う位置とに配置される閉位置と、天板の左右の側方それぞれに開いた開位置との間で回動可能であり、開位置で、天板の上面と第一拡張板と第二拡張板それぞれの上面とが同一平面上に配置されることで、キャビネットの使用時には第一、第二拡張板を開位置に配置することで、天板の上面を拡張した状態で広く有効活用することができる一方、キャビネットを使用しないときには、第一、第二拡張板を閉位置に配置することで天板の外形の横幅寸法を小さくすることが可能となるので、場所を取らずに済むようになる。したがって、使用するときの利便性と使用しないときの収納性との両立を図ることができるキャビネットとなる。
【０００８】
さらに、本考案にかかるキャビネット（１）は、第一側板（３Ａ）の下端と第二側板（３Ｂ）の下端との間にかけ渡された底板（４０）と、底板（４０）の下面に取り付けられた複数のキャスター（４１）とを備えてもよい。このように、底板の下面に取り付けられた複数のキャスターを備える構成を有することで、このキャスターを用いて、キャビネットを持ち上げることなく容易に移動させることができる。したがって、キャビネットを所望の場所で使用でき、かつ所望の場所に収納することが簡単に行えるようになる。
【０００９】
なお、上記の括弧内の符号は、後述する実施形態の対応する構成要素の符号を本考案の一要素として示したものである。
【考案の効果】
【００１０】
本考案にかかるキャビネットによれば、使用時に天板上のスペースを広く有効に活用できると共に、使用しないときには外形の横幅寸法や奥行寸法が小さく抑えることができる。
【図面の簡単な説明】
【００１１】
【図１】本考案の一実施形態にかかるキャビネットを示す斜視図である。
【図２】キャビネットの天板を拡張した状態を示す斜視図である。
【考案を実施するための形態】
【００１２】
以下、添付図面を参照して本考案の実施形態を詳細に説明する。図１は、本考案の一実施形態にかかるキャビネット１を示す斜視図である。同図に示すキャビネット１は、水平方向に広がる矩形状（長方形状）の平板である天板２と、天板２の左側辺２ａの近傍の下面に上端が固定されて上下方向に延びる平板である左側板（第一側板）３Ａと、天板２の右側辺２ｂの近傍の下面に上端が固定されて第一側板３Ａと対向して上下方向に延びる平板である右側板（第二側板）３Ｂとを備える。
【００１３】
また、キャビネット１は、複数の引き出し１１〜１６を備える。これら複数の引き出し１１〜１６は、上部（上面）に開口を有する箱型に形成された本体部１１ａ〜１６ａと、本体部１１ａ〜１６ａの手前側の面（前面）に取り付けられた取手１１ｂ〜１６ｂとを備える。これら複数の引き出し１１〜１６は、天板２の下方で第一側板３Ａ及び第二側板３Ｂの間に収納された収納位置と、この収納位置から手前側に引き出された引出位置との間で前後方向に滑動（スライド移動）可能である。なお、各図では引き出し１１〜１６が収納位置に収納された状態を示しており、引出位置は図示していない。
【００１４】
さらに、キャビネット１は、水平方向に広がる矩形状（長方形状）の平板状に形成されたトレー２０を備える。トレー２０は、天板２の下方かつ複数の引き出し１１〜１６のうち最上段に位置する引き出し１６の上方に配置されており、天板２の下方で第一側板３Ａと第二側板３Ｂとの間に収納された収納位置と、この収納位置から手前側に引き出した引出位置との間で滑動（スライド移動）可能である。トレー２０は、水平方向に広がる平板状の本体部２０ａと、本体部２０ａの手前側の面（前面）に設けられた取手２０ｂとを備えている。トレー２０の上面２０ｃと天板２の下面との間には、タブレット型のコンピュータＰやマウスＭなどの物品を収納可能な程度の隙間Ｓが形成されている。この隙間Ｓの寸法は、一例として８ｃｍ〜１０ｃｍ程度とすることができる。
【００１５】
また、キャビネット１は、天板２の左側辺（左側面）２ａと右側辺（右側面）２ｂそれぞれに対して支持金具３０で回動可能となるように取り付けられた左拡張板（第一拡張板）５及び右拡張板（第二拡張板）６を備えている。これら左拡張板５及び右拡張板６は、図１に示すように、それぞれが第一側板３Ａの外面に沿う位置と第二側板３Ｂの外面に沿う位置とに配置される閉位置と、図２に示すように、天板２の左右の側方それぞれに開いた開位置との間で回動可能である。そして、図２に示す開位置で、左拡張板５が左側板３Ａとの間に渡された支持金具３０により下面側から支持され、かつ右拡張板６が右側板３Ｂとの間に渡された支持金具３０により下面側から支持された状態となることで、天板２の上面２ｃと左拡張板５の上面５ｃと右拡張板６の上面６ｃとの三面が互いに同一平面（同一の水平面）上に配置される。これにより、天板２の上面２ｃが左右に拡張された状態となることで、閉位置よりも広くなる。
【００１６】
さらに、キャビネット１は、左側板３Ａの下端と右側板３Ｂの下端との間にかけ渡された底板４０と、この底板４０の下面の四隅に取り付けられたキャスター４１とを備える。底板４０は、その面が天板２と平行な水平方向に広がる矩形状（長方形状）の平板である。
【００１７】
また、本実施形態のキャビネット１では、天板２の上面２ｃの外周近傍に取り付けた柵６０を備えている。柵６０は、天板２０の上面２ｃの左右側辺２ａ，２ｂの近傍および後端辺の近傍それぞれに取り付けた三本の金属製の線材６１を略コ字型に折り曲げてなる部材である。この柵６０によって、天板２の上面２ｃに載置した物品の落下を防止できる。
【００１８】
以上のように、本実施形態のキャビネット１によれば、天板２の左右両側辺２ａ，２ｂそれぞれに対して回動可能に取り付けられた左拡張板（第一拡張板）５及び右拡張板（第二拡張板）６を備え、これら左拡張板５及び右拡張板６は、それぞれが（それぞれの面が）第一側板３Ａの外面に沿う位置と第二側板３Ｂの外面に沿う位置とに配置される閉位置と、天板２の左右の側方それぞれに開いた開位置との間で回動可能であり、開位置で、天板２の上面２ｃと左拡張板５と右拡張板６それぞれの上面５ｃ，６ｃとが同一平面上に配置される。これにより、キャビネット１の使用時には、左右拡張板５，６を開位置に配置することで、天板２の上面２ｃを拡張した状態で使用することができる一方、キャビネット１を使用しないときには、左右拡張板５，６を閉位置に配置することで天板２の外形の横幅寸法を小さくすることが可能となるので、場所を取らずに済むようになる。したがって、使用するときの利便性と使用しないときの収納性との両立を図ることができるキャビネット１となる。
【００１９】
また、本実施形態のキャビネット１は、収納位置と引出位置との間で滑動可能なトレー２０を備えると共に、このトレー２０と天板２との間に隙間Ｓが形成されていることで、タブレット型のコンピュータＰなどの物品の出し入れ及び操作を非常に簡単に行うことができるキャビネット１となる。すなわち、タブレット型のコンピュータＰなどをトレー２０に載せた状態でトレー２０を収納位置に配置すれば、トレー２０上のタブレット型のコンピュータＰなどをキャビネット１内の天板２とトレー２０との隙間Ｓに格納することができる。その一方で、トレー２０を手前側に引き出して引出位置に配置すれば、キャビネット１内に格納されていたタブレット型のコンピュータＰなどをトレー２０上に載置された状態でキャビネット１から取り出すことができ、かつその状態で保持できるので、操作して使用することができる。これらにより、トレー２０を収納位置と引出位置との間で移動させるだけで、タブレット型のコンピュータＰなどの物品を格納することができると共に取り出してそのまま使用することができるようになる。
【００２０】
したがって、トレー２０を収納位置と引出位置との間で出し入れするだけで、タブレット型などのコンピュータＰをキャビネット１に載置した状態で操作して使用することができると共に、使用するとき以外は、衛生上の理由から、液体の飛沫などが容易にかからないように有る程度隔離された場所に格納しておくことが簡単に行えるようになるので、特に、病院や歯科医院の診察室などでの使用に適したキャビネット１となる。
【００２１】
さらに、本実施形態のキャビネット１は、底板４０の下面に取り付けられた複数のキャスター４１を備えている。これにより、キャスター４１を用いて、キャビネット１を持ち上げることなく容易に移動させることができる。したがって、キャビネット１を所望の場所で使用でき、かつ所望の場所に収納することが簡単に行えるようになる。
【００２２】
以上本考案の実施形態を説明したが、本考案は上記実施形態に限定されるものではなく、実用新案請求の範囲、及び明細書と図面に記載された技術的思想の範囲内において種々の変形が可能である。なお、直接明細書及び図面に記載のない何れの形状・構造・材質であっても、本考案の作用・効果を奏する以上、本考案の技術的思想の範囲内である。
【符号の説明】
【００２３】
１  キャビネット
５  左拡張板（第一拡張板）
６  右拡張板（第二拡張板）
１１〜１６  引き出し
２０  トレー
２０ｃ  上面
３０  支持金具
４０  底板
４１  キャスター
６０  柵
６１  線材
Ｐ  タブレット型のコンピュータ
Ｍ  マウス
Ｓ  隙間
【図１】
0003215469.tif 000003
【図２】
0003215469.tif 000004